(57)【要約】【課題】レイヤ２ネットワークにおいては、レイヤ３ネットワークにおけるｐｉｎｇやｔｒａｃｅｒｏｕｔｅに相当する手段が存在せず、接続性確認や経路情報確認を行う場合、個々のレイヤ２スイッチに対してｓｎｍｐやｔｅｌｎｅｔを使用して情報を取得し、取得したスイッチ毎の情報をネットワークの情報として総合的に判断する必要があり、手間がかかり、専門知識を必要とするという問題がある。また、ネットワーク事業者は個々のユーザが直接レイヤ２スイッチから情報を取得できる権限を与えていないという問題がある。【解決手段】あらかじめユーザが指定しておいた識別情報に基づいて、レイヤ２ネットワーク内のレイヤ２スイッチから当該ユーザに関するネットワーク情報を収集し、情報提供者が提供する情報をあらかじめ指定しておき、提供する情報を制限しながらネットワークの情報をユーザに提供する。【選択図】　　　　図１
2004023153.tif 000002
【特許請求の範囲】
【請求項１】
レイヤ２スイッチを複数個用いて構成されるレイヤ２ネットワークにおいて、あらかじめユーザが指定しておいた識別情報に基づいて、レイヤ２ネットワーク内のレイヤ２スイッチから当該ユーザに関するネットワーク情報を収集し、情報提供者が提供する情報をあらかじめ指定しておき、提供する情報を制限しながらネットワークの情報をユーザに提供することを特徴とする、ネットワーク情報提示方法。
【発明の詳細な説明】
【０００１】
【発明の属する技術分野】
本発明は、レイヤ２ネットワークにおける、提供する情報を制限しながらネットワークの情報をユーザに提供する方法に関するものである。
【０００２】
【従来の技術】
ルータを用いた従来のレイヤ３ネットワークにおいては、ｐｉｎｇやｔｒａｃｅｒｏｕｔｅを利用した接続性確認や経路情報確認等、ネットワークの情報を確認する機能を提供するウェブサイトが存在し、他者による運用・管理下にあるユーザ接続ネットワークについての情報を、ユーザが自分で確認することができる。
【０００３】
【発明が解決しようとする課題】
そもそもレイヤ２ネットワークにおいては、ユーザが簡易に使用できる、レイヤ３ネットワークにおけるｐｉｎｇやｔｒａｃｅｒｏｕｔｅに相当する手段が存在しない。レイヤ２ネットワークにおいて、接続性確認や経路情報確認を行う場合、レイヤ２ネットワークを構成している個々のレイヤ２スイッチに対してｓｎｍｐやｔｅｌｎｅｔを使用して情報を取得し、取得したスイッチ毎の情報をネットワークの情報として総合的に判断する必要があり、非常に手間がかかり、またネットワークの専門知識を必要とするという問題がある。
【０００４】
また、ネットワーク事業者はネットワーク機器数、収容ユーザ数等、ネットワークのコストを推測されるような情報の開示は望まない、さらには、そのためネットワーク事業者は、個々のユーザが直接レイヤ２スイッチから情報を取得できる権限を与えていないという問題がある。
【０００５】
本発明の目的は、上記問題を解決するため、レイヤ２ネットワークにおいて、あらかじめユーザが指定しておいた識別情報に基づいて、レイヤ２ネットワーク内のレイヤ２スイッチから当該ユーザに関するネットワーク情報を収集し、情報提供者が提供する情報をあらかじめ指定しておき、提供する情報を制限しながらネットワークの情報をユーザに提供できる、ネットワーク情報提示方法を提供することにある。
【０００６】
【課題を解決するための手段】
本発明では前記目的を達成するため、あらかじめユーザが指定しておいた識別情報に基づいて、レイヤ２ネットワーク内のレイヤ２スイッチから当該ユーザに関するネットワーク情報を収集し、情報提供者が提供する情報をあらかじめ指定しておき、提供する情報を制限しながらネットワークの情報をユーザに提供することを特徴とする。
【０００７】
【発明の実施の形態】
以下、図面を参照して本発明の実施の形態を詳細に説明する。
【０００８】
図１は、本発明の実施の形態のネットワーク情報提示方法が適用されるネットワークシステムの概略構成を示すブロック図である。同図において、１〜３はレイヤ２スイッチであり、このレイヤ２スイッチは、ユーザから送信されたパケットを交換して宛て先に転送する。４〜６はリンクであり、スイッチ間を接続する伝送路である。７は障害監視装置であり、レイヤ２スイッチ等のネットワーク機器の障害を遠隔で監視する装置である。８は管理用ネットワークであり、障害監視装置７がこのネットワークを通してレイヤ２スイッチを遠隔で監視する。
【０００９】
本実施の形態では、管理用ネットワーク８をスイッチ（１〜３）で構成されたネットワークと別に設けているが、これは、ユーザが使用する伝送路を管理用としても使用することが好ましくない場合や、ユーザの使用する伝送路が障害となった場合に監視も不可能となってしまうことを防止するためであり、同一のネットワークとしても実現可能である。９，１０はネットワークのユーザが利用する端末であり、ユーザ間の通信におけるパケットの送受信を行う。１１〜１８はポートであり、レイヤ２スイッチ（１〜３）がパケットを送受信する部分である。
【００１０】
ユーザがあらかじめ端末のＭＡＣアドレスあるいはＩＰアドレス等の端末を特定できる情報を、障害監視装置７に登録しておき、障害監視装置７は登録された端末特定情報に関するネットワーク情報をレイヤ２スイッチから取得する。
【００１１】
ここでは、ネットワーク情報として接続性、すなわちネットワーク内のある端末−端末間での通信が可能であるか、障害ではないか、という情報を考える。
【００１２】
例えば、ユーザがあらかじめ障害監視装置７に端末のＭＡＣアドレスを登録しておく。
【００１３】
端末９から端末１０に通信が行われると、端末９からのパケットから、ＭＡＣアドレスと対応する送出ポートがレイヤ２スイッチのＦＤＢに学習される。障害監視装置７は、ネットワーク内の全てのレイヤ２スイッチのＦＤＢを取得し、端末９のＭＡＣアドレスが登録されているスイッチを検索することによって、端末９から端末１０への通信が行われたかどうかという接続性を求めることが可能である。
【００１４】
また、レイヤ２スイッチのパケットカウンタを用いて、接続性を求めることも可能である。障害監視装置７は、レイヤ２スイッチ１〜３に、受信したパケットの宛て先ＭＡＣアドレスあるいはＩＰアドレスが利用者によって登録された端末１０のＭＡＣアドレスあるいはＩＰアドレスである場合にパケットカウンタの数が一つ増加するように設定する。端末９から端末１０に通信が行われると、レイヤ２スイッチが受信したパケットの宛て先ＭＡＣアドレスあるいはＩＰアドレスに端末１０のＭＡＣアドレスあるいはＩＰアドレスが記載されているため、レイヤ２スイッチはパケットカウンタの数を一つ増加させる。障害監視装置７は、レイヤ２スイッチからパケットカウンタの情報を取得し、カウンタが増加したスイッチから、端末９から端末１０への通信が行われたかどうかという接続性を求めることが可能である。
【００１５】
ユーザが障害監視装置７に、当該ユーザが登録した端末情報に基づく接続性を問い合わせ、障害監視装置７は、ネットワーク事業者があらかじめ開示することを指定した情報である、接続性情報をユーザに返答することで、ユーザに情報を提供することが可能となる。
【００１６】
以上、本発明者によってなされた発明を、前記実施の形態に基づき具体的に説明したが、本発明は、前記実施の形態に限定されるものではなく、その要旨を逸脱しない範囲において種々変更可能であることは勿論である。
【００１７】
【発明の効果】
本発明によれば、レイヤ２ネットワークにおいて、あらかじめユーザが指定しておいた識別情報に基づいて、レイヤ２ネットワーク内のレイヤ２スイッチから当該ユーザに関するネットワーク情報を収集し、情報提供者が提供する情報をあらかじめ指定し、提供する情報を制限しながらネットワークの情報をユーザに提供することが可能となる。
【図面の簡単な説明】
【図１】本発明の実施の形態のネットワーク情報提示方法が適用されるネットワークシステムの概略構成を示すブロック図である。
【符号の説明】
１〜３…レイヤ２スイッチ、４〜６…リンク、７…障害監視装置、８…管理用ネットワーク、９，１０…端末、１１〜１８…ポート。
【図１】
2004023153.tif 000003